(57)【要約】【課題】駆動用のＩＣが実装可能で小型／高精細の電気光学装置を実現することを可能にする。【解決手段】回路が形成される第１の領域１０Ａと、第１の領域１０Ａから見てＹ方向に並べて配置される端子領域１５０Ａ−１、１５０Ａ−２を有し、端子領域１５０Ａ−１、１５０Ａ−２には、Ｙ方向とは異なるＸ方向に並ぶ複数の端子からなる端子群が各々配置され、端子領域１５０Ａ−１から第１の領域１０Ａへ至る配線と端子領域１５０Ａ−２から第１の領域１０Ａへ至る配線の少なくとも一方は、少なくとも一部の配線が端子領域１５０Ａ−１と端子領域１５０Ａ−２の間から引き出され、Ｙ方向に延びる当該電気光学パネル１０００Ａの中心軸から見ての端子領域１５０Ａ−１の外側を通って第１の領域１０Ａへ至ることを特徴とする電気光学パネル１０００Ａを提供する。【選択図】図１
2020016762.tif 000002
【特許請求の範囲】
【請求項１】
回路が形成される回路領域と、
前記回路領域から見て第１の方向に並べて配置される第１の端子領域および第２の端子領域と、を有し、
前記第１の端子領域および前記第２の端子領域には、前記第１の方向とは異なる第２の方向に並ぶ複数の端子からなる端子群が各々配置され、
前記第１の端子領域から前記回路領域へ至る配線と前記第２の端子領域から前記回路領域へ至る配線の少なくとも一方は、少なくとも一部の配線が前記第１の端子領域と前記第２の端子領域の間から引き出され、前記第１の方向に延びる当該電気光学パネルの中心軸から見て前記第１の端子領域の外側を通って前記回路領域へ至る
ことを特徴とする電気光学パネル。
【請求項２】
前記第１の端子領域に配置される端子群と前記第２の端子領域に配置される端子群は共通の信号配列を有することを特徴とする請求項１に記載の電気光学パネル。
【請求項３】
前記第１の端子領域に配置される端子群と前記第２の端子領域に配置される端子群は異なる信号配列を有することを特徴とする請求項１に記載の電気光学パネル。
【請求項４】
前記第１の端子領域と前記第２の端子領域の間から引き出されている配線は前記第１の端子領域に配置される端子と前記第２の端子領域に配置される端子の両方に結線されていることを特徴とする請求項１〜３の何れか１項に記載の電気光学パネル。
【請求項５】
前記第１の端子領域と前記第２の端子領域の間から引き出されている配線は、前記第１の端子領域に配置される端子と前記第２の端子領域に配置される端子の何れか一方に結線されていることを特徴とする請求項３に記載の電気光学パネル。
【請求項６】
前記第１の端子領域に配置される端子群と前記第２の端子領域に配置される端子群には、所定の電位を与えられる電源端子が含まれており、
前記第１の端子領域と前記第２の端子領域の間から引き出される配線は電源端子に接続される電源配線であり、
前記第１の端子領域に配置される端子群に含まれる電源端子と前記第２の端子領域に配置される端子群に含まれる電源端子のうち、コモン電位を与えられるコモン電源端子の数は、他の電位を与えられる電源端子の数と比較して多いことを特徴とする請求項１に記載の電気光学パネル。
【請求項７】
コモン電源端子に接続されたコモン電源配線は、他の電源端子に接続された他の電源配線と比較して配線幅の大きい部位を有することを特徴とする請求項６に記載の電気光学パネル。
【請求項８】
回路が形成される回路領域と、
前記回路領域から見て第１の方向に配置される第１の端子領域と、を有し、
前記第１の端子領域には、前記第１の方向とは異なる第２の方向に並ぶ複数の端子からなる端子群が各々配置され、
前記第１の端子領域から前記回路領域へ至る配線は、少なくとも一部の配線が前記第１の端子領域から引き出され、前記第１の方向に延びる当該電気光学パネルの中心軸から見て前記第１の端子領域の外側を通って前記回路領域へ至り、
前記第１の端子領域の端子群に配線基板を貼りつける際の目印となるアライメントマークが配線層の抜きパターンとして配置されていることを特徴とする電気光学パネル。
【請求項９】
請求項１〜８に記載の電気光学パネルを用いた電気光学装置。
【請求項１０】
請求項９に記載の電気光学装置を用いた電子機器。
【発明の詳細な説明】
【技術分野】
【０００１】
本発明は、小型で高精細表示の可能な電気光学パネル、電気光学装置および電子機器に関する。
【背景技術】
【０００２】
液晶プロジェクターに用いられる液晶パネル（液晶ライトバルブ）などの電気光学装置の高解像度化、及び小型化が進んでいる。高解像度化により画素数が増加すると、各画素の表示制御を行う信号を与えられる端子などのパネル端子数が増加する為、端子配置領域の確保が困難となる。また、高解像化により画素数が増加すると、各画素を駆動する駆動回路の負荷が増える為、駆動回路を形成するＩＣ（Integrated Circuit）についても性能の高いものが必要となる。しかし、高性能なＩＣの開発にはコスト等を要し、発熱の問題も発生する。従来、端子配置領域の確保に関しては、複数の端子からなる端子群をパネル（電気光学パネル）の複数の辺に配置する構成や、並列に配置する構成を採用することで対応されていた。しかし、パネルの小型化の進化によっては、これらの対策によっても実装端子領域の確保が困難となる状況もある（特許文献１参照）。
【先行技術文献】
【特許文献】
【０００３】
【特許文献１】特開２０１２−１９４２４２号公報
【発明の概要】
【発明が解決しようとする課題】
【０００４】
ＩＣでの駆動に際して、例えば、ＩＣが搭載されたＣＯＦ（Chip On Film）を液晶パネル等の電気光学パネルに接続する態様では、表示領域に対して、ＣＯＦを接続するための端子群領域や電源配線等の配線領域等の非表示領域が増大し、電気光学装置が肥大化するといった問題がある。
本発明は上記課題に鑑みて為されたものであり、駆動用のＩＣが実装可能で小型／高精細の電気光学装置を実現することを可能にする技術を提供することを解決課題の一つとする。
【課題を解決するための手段】
【０００５】
上記課題を解決するために、本発明の一態様に係る電気光学パネルは、回路が形成される回路領域と、前記回路領域から見て第１の方向に並べて配置される第１の端子領域および第２の端子領域と、を有し、前記第１の端子領域および前記第２の端子領域には、前記第１の方向とは異なる第２の方向に並ぶ複数の端子からなる端子群が各々配置され、前記第１の端子領域から前記回路領域へ至る配線と前記第２の端子領域から前記回路領域へ至る配線の少なくとも一方は、少なくとも一部の配線が前記第１の端子領域と前記第２の端子領域の間から引き出され、前記第１の方向に延びる当該電気光学パネルの中心軸から見て前記第１の端子領域の外側を通って前記回路領域へ至ることを特徴とする。
【０００６】
この態様によれば、第１の領域と第１の端子領域との間の領域の幅を従来よりも短くすることができ、電気光学パネルおよび当該電気光学パネルを用いた電気光学装置の肥大化を抑えることができる。
【０００７】
第１の端子領域に配置される端子群と第２の端子領域に配置される端子群は共通の信号配列を有していても良いし、異なる信号配列を有していても良い。
【０００８】
また、第１の端子領域と第２の端子領域の間から引き出されている配線は第１の端子領域に配置される端子と第２の端子領域に配置される端子の両方に結線されていても良いし、第１の端子領域に配置される端子と第２の端子領域に配置される端子の何れか一方に結線されていても良い。例えば、第１の端子領域に配置される端子群と第２の端子領域に配置される端子群に同じ役割を与えられた端子が含まれている場合には前者の態様を採用すれば良く、同じ役割を与えられた端子が含まれていない場合には後者の態様を採用すれば良い。
【０００９】
より好ましい態様においては、第１の端子領域と第２の端子領域の間から引き出されている配線は電源端子に接続されており、前記第１の端子領域と前記第２の端子領域の間から引き出される配線は電源端子に接続される電源配線であり、前記第１の端子領域に配置される端子群に含まれる電源端子と前記第２の端子領域に配置される端子群に含まれる電源端子のうち、コモン電位を与えられるコモン電源端子の数は、他の電位を与えられる電源端子の数と比較して多いことを特徴とする。このような態様によれば、コモン電源の障害耐性を高めつつ、上記電気光学パネルを用いた電気光学装置の肥大化を抑えることができる。
【００１０】
さらに好ましい態様においては、コモン電源端子に接続されたコモン電源配線は、他の電源端子に接続された他の電源配線と比較して配線幅の大きい部位を有することを特徴とする。このような態様によれば、コモン電源配線の低抵抗化を実現することができる。
【００１１】
上記目的を達成するために、本発明の別の態様に係る電気光学パネルは、回路が形成される回路領域と、回路領域から見て第１の方向に配置される第１の端子領域と、を有し、第１の端子領域には、第１の方向とは異なる第２の方向に並ぶ複数の端子からなる端子群が配置され、第１の端子領域から回路領域へ至る配線は、少なくとも一部の配線が第１の端子領域から引き出され、第１の方向に延びる当該電気光学パネルの中心軸から見て第１の端子領域の外側を通って回路領域へ至り、第１の端子領域の端子群にＡＣＦ（Anisotropic Conductive Film）の配線基板を貼りつける際の目印となるアライメントマークが配線層の抜きパターンとして配置されていることを特徴とする。このような態様によれば、第１の端子領域から第１の領域へ至る電源配線の配線幅を広げつつ、アライメントマークを配置することが可能になる。
【００１２】
上記目的を達成するために、本発明の一態様に係る電気光学装置は、上記各態様の何れかに係る電気光学パネルを備えることを特徴とする。この態様によれば、上記各態様のいずれかに係る電気光学パネルを備える電気光学装置が提供される。
上記目的を達成するために、本発明の一態様に係る電子機器は、上記態様に係る電気光学装置を備えることを特徴とする。この態様によれば、上記態様に係る電気光学装置を備える電子機器が提供される。
【図面の簡単な説明】
【００１３】
【図１】本発明の第１実施形態に係る電気光学パネル１０００Ａの構成を示す平面図である。
【図２】本発明の第２実施形態に係る電気光学パネル１０００Ｂの構成を示す平面図である。
【図３】本発明の第３実施形態に係る電気光学パネル１０００Ｃの構成を示す平面図である。
【図４】本発明の第４実施形態に係る電気光学パネル１０００Ｄの構成を示す平面図である。
【図５】本発明の第５実施形態に係る電気光学パネル１０００Ｅの構成を示す平面図である。
【図６】本発明の第６実施形態に係る電気光学パネル１０００Ｆの構成を示す平面図である。
【図７】本発明の電気光学装置１の構成を示す斜視図である。
【図８】同電気光学装置１を適用した情報携帯端末２０００の構成を示す斜視図である。
【図９】同電気光学装置１を適用した投射型表示装置４０００の構成を示す図である。
【図１０】従来の電気光学パネルの構成を示す平面図である。
【発明を実施するための形態】
【００１４】
以下図面を参照しつつ本発明の実施形態を説明する。
＜第１実施形態＞
図１は、本発明の一実施形態である電気光学パネル１０００Ａの平面図である。この電気光学パネル１０００Ａは、例えば投射型プロジェクターなどの小型の電子機器の表示ユニットを為すアクティブマトリクス型の液晶表示装置である。電気光学パネル１０００Ａは素子基板１０（半導体が形成される半導体基板、単に基板）と対向基板２０とを含む。素子基板１０は矩形状の平面形状を有し、素子基板１０の表面は各々長方形状の平面形状を有する第１の領域１０Ａと第２の領域１０Ｂに区分けされる。対向基板２０は、第１の領域１０Ａよりも若干小さい長方形状の平面形状を有し、第１の領域１０Ａに載置される。以下では、図１に示すように、第１の領域１０Ａの短手方向（第１の方向）をＹ方向と呼び、長手方向（第２の方向）をＸ方向と呼ぶ。
【００１５】
第１の領域１０Ａは、画素マトリクス１１０、走査線駆動回路１２０Ａおよび１２０Ｂからなる回路が形成される回路領域である。図１に示すように、第１の領域１０Ａの四隅近傍には、対向基板２０上の対向電極と導通する上下導通点１４０が形成される。画素マトリクス１１０と対向基板２０との隙間には液晶などの電気光学物質（図示略）が充填されている。画素マトリクス１１０は、画素電極（図示略）と３端子のうちの１つの端子が当該画素電極に接続されたＴＦＴ（Thin Film Transistor）素子（図示略）とをマトリクス状に配列して構成されている。ＴＦＴ素子の３端子のうちの残りの２端子は、画素電極を囲んで格子状に配置された走査線（図示略）とデータ線（図示略）とに接続されている。
【００１６】
各走査線は図１のＸ方向に沿って延在し、走査線駆動回路１２０Ａと走査線駆動回路１２０Ｂとに接続されている。なお、Ｙ方向の、第１の領域１０Ａから第２の領域１０Ｂに向かう方向に、１番目、２番目と各走査線に番号付を行った場合の奇数番目の走査線を走査線駆動回路１２０Ａに接続し、同偶数番目の走査線を走査線駆動回路１２０Ｂに接続するといった具合に、走査線駆動回路１２０Ａと走査線駆動回路１２０Ｂの役割分担を行ってもよい。一方、各データ線は図１のＹ方向に沿って延在し、データ線駆動回路１３０に接続されている。データ線駆動回路１３０、走査線駆動回路１２０Ａおよび１２０Ｂについては、従来のアクティブマトリクス型の液晶表示装置におけるものと特段に変わるところはないため説明を省略する。
【００１７】
第２の領域１０Ｂには、端子領域１５０Ａ−１、１５０Ａ−２、１５０Ｂ−１、および１５０Ｂ−２の４つの端子領域が設けられている。端子領域とは、ＣＯＦの接続先となる端子群が配置される領域のことを言う。端子領域１５０Ａ−１、１５０Ａ−２、１５０Ｂ−１、および１５０Ｂ−２の各々には、ＣＯＦの接続先となる端子群が１つずつ配置される。図１にて一点鎖線Ｃ−Ｃ´で示すＹ方向に延びる素子基板１０の中心軸を対称軸として端子領域１５０Ａ−１は端子領域１５０Ｂ−１と線対称であり、端子領域１５０Ａ−２は端子領域１５０Ｂ−２と線対称である。この対称性を考慮し、以下では、端子領域１５０Ａ−１および１５０Ａ−２を中心に説明する。なお、端子領域１５０Ａ−１、１５０Ａ−２、１５０Ｂ−１、および１５０Ｂ−２は本願の説明のために概念的に分割して図示した領域であり、典型的には端子領域１５０Ａ−１から１５０Ｂ−１までは連続して端子が配列され、第１のＣＯＦの接続先である。同様に端子領域１５０Ａ−２から１５０Ｂ−２までは連続して端子が配列され、第２のＣＯＦの接続先である。
【００１８】
端子領域１５０Ａ−１と端子領域１５０Ａ−２は、図１に示すように、第２の領域１０ＢにＹ方向に並べて配置される。より詳細に説明すると、第１の端子領域である端子領域１５０Ａ−１は、第１の領域１０Ａから、ＣＯＦの実装上必要になる間隔（ＡＣＦの貼り付け幅や圧着ヘッドのクリアランス確保等に応じた間隔）をＹ方向に開けて配置されている。第２の端子領域である端子領域１５０Ａ−２は、端子領域１５０Ａ−１からＣＯＦの実装上必要になる間隔をＹ方向に開けて配置されている。図１に示すように、対称軸Ｃ−Ｃ´とは反対側のＹ方向に延びる端子領域１５０Ａ−１の端部の外側には、ＡＣＦの貼り付けの際の目安となるアライメントマーク１６０が素子基板１０上の配線層パターン形成等により素子基板１０上に設けられている。端子領域１５０Ａ−２についても同様に、対称軸Ｃ−Ｃ´とは反対側の端部の外側にＡＣＦの貼り付けの際の目安となるアライメントマーク１６０が設けられている。
【００１９】
図１に示すように、本実施形態において端子領域１５０Ａ−１および１５０Ａ−２の各々に配置される端子群は６個の端子から構成されており、端子領域１５０Ｂ−１および１５０Ｂ−２の各々に配置される端子群は７個の端子から構成されている。以下では、端子群を構成する各端子を区別する必要がある場合には、図１に示すように、対称軸Ｃ−Ｃ´に近い側から順に符号Ｔ１、Ｔ２・・・を付与して各端子を区別する。
【００２０】
本実施形態では、端子領域１５０Ａ−１に配置される端子群と端子領域１５０Ａ−２に配置される端子群の信号配列は共通である。具体的には、端子領域１５０Ａ−１および１５０Ａ−２の各々における端子Ｔ１には走査線駆動回路等を制御するための制御信号が与えられ、同端子Ｔ２には低電位側電源線電圧ＶＳＳが、同端子Ｔ３には高電位側電源線電圧ＶＤＤが与えられる。端子Ｔ４およびＴ５には、例えば対向電極に与える電位であるコモン電位（電源電圧）ＬＣＣＯＭが与えられる。端子領域１５０Ａ−１および１５０Ａ−２の各々における端子Ｔ６は外部から電気信号を与えられないダミー端子であり、端子Ｔ６からは第１の領域１０Ａに至る配線は引き出されていない。なお、端子領域１５０Ｂ−１および１５０Ｂ−２に配置される端子群を構成する端子の役割は次の通りである。端子領域１５０Ｂ−１および１５０Ｂ−２の各々における端子Ｔ１には走査線駆動回路等を制御するための制御信号或いはビデオ信号が、同端子Ｔ２には他の制御信号が、同端子Ｔ３には低電位側電源線電圧ＶＳＳが、同端子Ｔ４には高電位側電源線電圧ＶＤＤが、同端子Ｔ５およびＴ６にはコモン電位ＬＣＣＯＭがそれぞれ与えられる。端子領域１５０Ｂ−１および１５０Ｂ−２の各々における端子Ｔ７はダミー端子である。端子群の信号配列が共通のため素子基板１０に貼り付けられるＣＯＦは同一のものを使用することができる。従って部材共通化の効果でコスト的に利点がある。
【００２１】
本実施形態において、端子領域１５０Ａ−１に配置される端子群および端子領域１５０Ａ−２に配置される端子群から第１の領域１０Ａへ至る配線の取り回しは次の通りである。制御信号が伝送される信号線、すなわち、端子Ｔ１から第１の領域１０Ａへ至る配線は実線で図示されており、所定の電位を与えられる電源端子、すなわち、端子Ｔ２〜Ｔ５から第１の領域１０Ａへ至る配線（電源配線）は斜線のハッチングを付与した帯で図示されている。なお、図１と今後示す図２から図６では対向基板２０の端部までの配線引き回し状態を抽出して概念的に図示している。本実施形態の特徴のひとつは電源端子から第１の領域１０Ａへ至る配線の取り回しにある。
【００２２】
図１に示すように、端子領域１５０Ａ−１に配置される電源端子と端子領域１５０Ａ−２に配置される電源端子は同じ役割を担うもの同士が結線されている。そして、端子Ｔ２および端子Ｔ３の各々から第１の領域１０Ａへ至る電源配線は、第１の領域１０Ａに近い端子（すなわち、端子領域１５０Ａ−１に配置される端子Ｔ２およびＴ３）から第１の領域１０Ａに向けて引きだされている。一方、端子Ｔ４およびＴ５から第１の領域１０Ａへ至る電源配線は、端子領域１５０Ａ−１と端子領域１５０Ａ−２の間（ＣＯＦの実装上必要になるために開けた領域）から引き出され、対称軸Ｃ−Ｃ´から見て端子領域１５０Ａ−１の外側を通って第１の領域１０Ａへ至っており、この点に本実施形態の特徴のひとつがある。なお、端子Ｔ４およびＴ５から第１の領域１０Ａへ至る配線の幅が端子Ｔ２（或いは端子Ｔ３）から第１の領域１０Ａへ至る他の配線の幅よりも太い部位を有するのは、コモン電源に接続される電源配線（以下、コモン電源配線）は低抵抗配線が必要とされるからである。
【００２３】
端子Ｔ６のダミー端子はＣＯＦの電気的接続の信頼性確保の目的で設けられている。本実施形態では、端子領域１５０Ａ−１に配置される端子群と端子領域１５０Ａ−２に配置される端子群の信号配列が共通であるため、端子領域１５０Ａ−１において最も外側に配置される端子Ｔ６もダミー端子とされている。
【００２４】
このように、本実施形態の特徴のひとつは電気光学パネル１０００Ａにおいては、端子領域１５０Ａ−１および１５０Ａ−２から第１の領域１０Ａへ至る配線のうちの一部の配線、すなわち、コモン電源配線の配線パターンにあるが、このような配線パターンを採用したことによる効果の説明に先立って、従来の電気光学パネルにおける配線パターンを説明する。図１０は、従来の電気光学パネルにおける配線パターンを示す図である。図１０では図１におけるものと同一の構成要素には同一の符号が付されている。図１０と図１とを比較すれば明らかように、従来の電気光学パネルでは、コモン電源配線についても、第１の領域１０Ａに近い端子（すなわち、端子領域１５０Ａ−１に配置される端子Ｔ４およびＴ５）から第１の領域１０Ａに向けて引きだされている。
【００２５】
図１と図１０とを比較すれば明らかなように、本実施形態の素子基板１０では、コモン電源配線が第１の領域１０Ａと第１の端子領域１５０Ａ−１の間の領域１７０に引き出されていない分だけ、領域１７０のＹ方向の幅Ｄが図１０に示す従来の電気光学パネルにおける領域１７０の幅Ｄよりも短くなる。このように、本実施形態によれば、ＣＯＦの実装上必要となる端子領域１５０Ａ−１と１５０Ｂ−１の間の領域を利用してコモン電源配線を引き出すことで、第１の領域１０Ａと当該第１の領域１０Ａから見てＹ方向の最寄りの端子領域である端子領域１５０Ａ−１の間の領域１７０の幅Ｄを従来よりも短くすることができる。そして、領域１７０の幅Ｄを短くできる分だけ、素子基板１０を用いた電気光学パネル１０００Ａの肥大化を抑制することができる。
【００２６】
＜第２実施形態＞
図２は、本発明の第２実施形態による電気光学パネル１０００Ｂの平面図である。図２においては図１におけるものと同一の構成要素には同一の符号が付されている。図２と図１とを対比すれば明らかなように、本実施形態の電気光学パネル１０００Ｂは、端子領域１５０Ａ−１に配置されている６つの端子のうち端子Ｔ２〜Ｔ５がダミー端子となっており、端子領域１５０Ｂ−１に配置されている７つの端子のうち端子Ｔ３〜Ｔ７がダミー端子となっている点が第１実施形態の電気光学パネル１０００Ａと異なる。
【００２７】
端子領域１５０Ａ−１に配置される端子Ｔ１および端子領域１５０Ａ−２に配置される端子Ｔ１〜Ｔ６の役割は第１実施形態と同じである。端子領域１５０Ｂ−１に配置される端子Ｔ１、Ｔ２および端子領域１５０Ｂ−２に配置される端子Ｔ１〜Ｔ７の役割は第１実施形態と同じである。図２に示すように、本実施形態では、端子領域１５０Ａ−２に配置される電源端子（すなわち、端子Ｔ２〜Ｔ５）から引き出され第１の領域１０Ａに至る電源配線は、コモン電源配線であるか否かとは無関係に全て端子領域１５０Ａ−１と端子領域１５０Ａ−２の間から引き出され、端子領域１５０Ａ−１の外側を通って第１の領域１０Ａへ至っている。
【００２８】
このような構成としたため、本実施形態の素子基板１０においても領域１７０の幅Ｄを従来よりも短くすることができる。このため、当該素子基板１０を用いた電気光学パネル１０００Ｂの肥大化を抑制することができる。
【００２９】
＜第３実施形態＞
図３は、本発明の第３実施形態による電気光学パネル１０００Ｃの平面図である。図３においても図１におけるものと同一の構成要素には同一の符号が付されている。本実施形態では、端子領域１５０Ａ−１における端子Ｔ１、Ｔ２およびＴ６の役割と端子領域１５０Ａ−２における端子Ｔ１〜Ｔ６の役割は第１実施形態と同じであるが、端子領域１５０Ａ−１における端子Ｔ３〜Ｔ５の役割が第１実施形態と異なる。同様に、端子領域１５０Ｂ−１における端子Ｔ１〜Ｔ３およびＴ７の役割と端子領域１５０Ｂ−２における端子Ｔ１〜Ｔ７の役割は第１実施形態と同じであるが、端子領域１５０Ｂ−１における端子Ｔ４〜Ｔ６の役割は第１実施形態と異なる。
【００３０】
より詳細に説明すると、端子領域１５０Ａ−１における端子Ｔ３には、低電位側電源線電圧ＶＳＳが与えられ、端子Ｔ４およびＴ５はダミー端子となっている。また、端子領域１５０Ｂ−１における端子Ｔ４には、低電位側電源線電圧ＶＳＳが与えられ、端子Ｔ５およびＴ６はダミー端子となっている。つまり、本実施形態では、端子領域１５０Ａ−１に配置される端子群と端子領域１５０Ａ−２に配置される端子群の信号配列は互いに異なり、端子領域１５０Ｂ−１に配置される端子群と端子領域１５０Ｂ−２に配置される端子群の信号配列も互いに異なっている。
【００３１】
本実施形態においても、端子領域１５０Ａ−１に配置される電源端子と端子領域１５０Ａ−２に配置される電源端子は同じ役割を担うもの同士が結線されている。すなわち、端子領域１５０Ａ−１に配置される端子Ｔ２およびＴ３と、端子領域１５０Ａ−２に配置される端子Ｔ２は、図３に示すように結線されている。そして本実施形態では、端子領域１５０Ａ−１に配置される電源端子（すなわち、端子Ｔ２およびＴ３）および端子領域１５０Ａ−２に配置される電源端子（すなわち、端子Ｔ２〜Ｔ５）から引き出され第１の領域１０Ａに至る配線は、図３に示すように、端子領域１５０Ａ−１と端子領域１５０Ａ−２の間から引き出され、端子領域１５０Ａ−１の外側を通って第１の領域１０Ａへ至っている。
【００３２】
このような構成としたため、本実施形態の素子基板１０についても領域１７０の幅Ｄを従来よりも短くすることができる。このため、本実施形態によっても、当該素子基板１０を用いた電気光学パネル１０００Ｃの肥大化を抑制することができる。加えて、本実施形態によれば、各電源の中で重要な電源（本実施形態では、低電位側電源）については２つの端子群から供給する構成としたため、何れか一方の端子群に故障が発生したとしても、当該電源からの電圧供給が途絶えることは無い。このように、本実施形態によれば、重要な電源を強化することができる、といった効果も奏される。
【００３３】
＜第４実施形態＞
図４は、本発明の第４実施形態による電気光学パネル１０００Ｄの平面図である。図４においても図１におけるものと同一の構成要素には同一の符号が付されている。本実施形態では、端子領域１５０Ａ−１における端子Ｔ１、Ｔ２およびＴ６の役割と端子領域１５０Ａ−２における端子Ｔ１、Ｔ４〜Ｔ６の役割は第１実施形態と同じである。同様に、端子領域１５０Ｂ−１における端子Ｔ１、Ｔ２およびＴ７の役割と端子領域１５０Ｂ−２における端子Ｔ１、Ｔ２、Ｔ５〜Ｔ７の役割は第１実施形態と同じである。しかし、端子領域１５０Ａ−１における端子Ｔ３〜Ｔ５の役割は第１実施形態と異なり、端子領域１５０Ａ−２における端子Ｔ２およびＴ４の役割も第１実施形態と異なる。同様に、端子領域１５０Ｂ−１における端子Ｔ３〜Ｔ６の役割は第１実施形態と異なり、端子領域１５０Ｂ−２における端子Ｔ３およびＴ４の役割も第１実施形態と異なる。
【００３４】
より詳細に説明すると、端子領域１５０Ａ−１における端子Ｔ２およびＴ３には、低電位側電源線電圧ＶＳＳが与えられ、端子Ｔ４およびＴ５には高電位側電源線電圧ＶＤＤが与えられる。これに対して、端子領域１５０Ａ−２における端子Ｔ２〜Ｔ５には、コモン電位ＬＣＣＯＭが与えられる。つまり、本実施形態では、端子領域１５０Ａ−１に配置される端子群と端子領域１５０Ａ−２に配置される端子群の信号配列は互いに異なっている。これらの電源端子のうち、コモン電位を与えられるコモン電源端子の数は、他の電位を与えられる電源端子の数と比較して多い。即ち、これらの電源端子のうち、コモン電源端子の数が最多となっている。同様に、端子領域１５０Ｂ−１に配置される端子群と端子領域１５０Ｂ−２に配置される端子群の信号配列も互いに異なっている。具体的には、端子領域１５０Ｂ−１における端子Ｔ３およびＴ４には、低電位側電源線電圧ＶＳＳが与えられ、端子Ｔ５およびＴ６には高電位側電源線電圧ＶＤＤが与えられる。これに対して、端子領域１５０Ｂ−２における端子Ｔ３〜Ｔ６には、コモン電位ＬＣＣＯＭが与えられる。
【００３５】
本実施形態では、端子領域１５０Ａ−１に配置される電源端子と端子領域１５０Ａ−２に配置される電源端子は同じ役割を担うもの同士が結線されている。すなわち、端子領域１５０Ａ−１に配置される端子Ｔ２とＴ３とが結線されており、端子Ｔ４とＴ５とが結線されている。また、端子領域１５０Ａ−２に配置される端子Ｔ２〜Ｔ５も互いに結線されている。そして、本実施形態では、端子領域１５０Ａ−１に配置される電源端子（すなわち、端子Ｔ２〜Ｔ５）および端子領域１５０Ａ−２に配置される電源端子（すなわち、端子Ｔ２〜Ｔ５）から引き出され第１の領域１０Ａに至る配線は、図３に示すように、端子領域１５０Ａ−１と端子領域１５０Ａ−２の間から引き出され、端子領域１５０Ａ−１の外側を通って第１の領域１０Ａへ至っている。
【００３６】
このような構成としたため本実施形態の素子基板１０においても領域１７０の幅Ｄを従来よりも短くすることができる。このため、本実施形態によっても、素子基板１０を用いた電気光学パネル１０００Ｄの肥大化を抑制することができる。加えて、本実施形態によれば、コモン電源を最も強化しつつも他の電源も強化することができ、かつそれぞれの電源配線の不要な交差を避けることができる。
【００３７】
＜第５実施形態＞
図５は、本発明の第５実施形態による電気光学パネル１０００Ｅの平面図である。図５においても図１におけるものと同一の構成要素には同一の符号が付されている。本実施形態では、端子領域１５０Ａ−１および端子領域１５０Ａ−２に配置される各端子の役割は、第４実施形態にて端子領域１５０Ａ−１および端子領域１５０Ａ−２に配置される各端子の役割と同じである。これに対して、端子領域１５０Ｂ−１および１５０Ｂ−２に配置される各端子の役割は、第１〜第４実施形態の何れとも異なる。より詳細に説明すると、端子領域１５０Ｂ−１に配置される端子Ｔ１〜Ｔ７のうち、端子Ｔ１については制御信号が、端子Ｔ２については当該制御信号とは異なる制御信号（或いはビデオ信号）が、端子Ｔ３〜Ｔ６にはコモン電位ＬＣＣＯＭが夫々与えられ、端子Ｔ７はダミー端子となっている。一方、端子領域１５０Ｂ−２に配置される端子については、端子Ｔ１には制御信号が、端子Ｔ２は他の制御信号を与えられる端子あるいはダミー端子となり、端子Ｔ３〜Ｔ６にはコモン電位ＬＣＣＯＭが夫々与えられる。
【００３８】
本実施形態においても端子領域１５０Ｂ−１に配置される電源端子と端子領域１５０Ｂ−２に配置される電源端子は同じ役割を担うもの同士が結線されている。すなわち、端子領域１５０Ｂ−１に配置される端子Ｔ３〜Ｔ６と端子領域１５０Ｂ−２に配置される端子Ｔ３〜Ｔ６が結線されている。そして、本実施形態では、端子領域１５０Ｂ−１に配置される電源端子および端子領域１５０Ｂ−２に配置される電源端子から引き出され第１の領域１０Ａに至る配線は、図５に示すように、端子領域１５０Ｂ−１と端子領域１５０Ｂ−２の間から引き出され、端子領域１５０Ｂ−１の外側を通って第１の領域１０Ａへ至っている。
【００３９】
このような構成としたため、本実施形態の素子基板１０においても領域１７０の幅Ｄを従来よりも短くすることができる。このため、本実施形態によっても、素子基板１０を用いて構成された電気光学パネル１０００Ｅの肥大化を抑制することができる。
【００４０】
＜第６実施形態＞
図６は、本発明の第６実施形態による電気光学パネル１０００Ｆの平面図である。図６では図１におけるものと同一の構成要素には同一の符号が付されている。電気光学パネル１０００Ｆにおける各端子の役割は第４実施形態におけるもの同じであり、図６と図４とを比較すれば明らかなように、本実施形態における配線の取り回し方は第４実施形態における配線の取り回し方と基本的には同じである。
【００４１】
したがって、本実施形態によっても第４実施形態と同じ効果が奏される。すなわち、領域１７０の幅Ｄを従来よりも短くすることができる。このため、電気光学パネル１０００Ｆを用いて構成された電気光学装置の肥大化を抑制することができるとともに、コモン電源を最も強化しつつも他の電源も強化することができる。
【００４２】
加えて、本実施形態では、端子領域１５０Ａ−１および端子領域１５０Ａ−２の外側の領域、および端子領域１５０Ｂ−１および端子領域１５０Ｂ−２の外側の領域における余白が極力狭くなるように各配線の幅を広げ、特にコモン電源配線の幅が最も広くなるように各配線の幅を広げたことに特徴の１つがある。電源配線の抵抗を極力小さくするためである。また、本実施形態では、アライメントマーク１６０が配線層の抜きパターンで実現されており、この点にも本実施形態の特徴がある。電源配線の出来るだけ大きな幅を割り当てられるようにするためである。
【００４３】
このような構成としたため、本実施形態の素子基板１０を用いて構成された電気光学パネル１０００Ｆの肥大化を抑制することができるとともにコモン電源を最も強化しつつも他の電源も強化することができ、さらに電源配線の電気抵抗を上記第４実施形態よりも小さくすることができる、といった効果が奏される。
【００４４】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
（１）上記各実施形態では、電源配線の取り回しへの本発明の適用例を説明したが、電源配線以外の信号線についても、端子領域１５０Ａ−１と端子領域１５０Ａ−２の間から引き出し、端子領域１５０Ａ−１の外側を通して第１の領域１０Ａに至るように配線しても良い。
【００４５】
（２）上記各実施形態では、端子領域１５０Ａ−１と端子領域１５０Ａ−２の各々にそれぞれ６個の端子が配置される場合について説明したが、端子領域１５０Ａ−１と端子領域１５０Ａ−２の各々に配置される端子の数は５個以下であっても良いし、７個以上であっても良い。同様に、端子領域１５０Ｂ−１と端子領域１５０Ｂ−２の各々に配置される端子の数も６個以下であっても良いし、８個以上であっても良い。
【００４６】
（３）上記各実施形態では、第１の領域１０Ａから見てＹ方向に２つの端子領域（例えば、端子領域１５０Ａ−１と端子領域１５０Ａ−２）を配置する場合について説明したが、３つ以上の端子領域を配置しても良い。
【００４７】
＜応用例＞
図７は、上述した第１〜第６実施形態の電気光学パネル１０００Ａ〜１０００Ｆ（以下、「電気光学パネル１０００」と総称する）を含む電気光学装置１の構成例を示す図である。電気光学装置１は、電気光学パネル１０００の第１の端子領域１５０Ａ−１、１５０Ｂ−１と第２の端子領域１５０Ａ−２、１５０Ｂ−２とに、それぞれ、ＣＯＦ３００ＡとＣＯＦ３００Ｂとが接続された構成である。ＣＯＦ３００ＡとＣＯＦ３００Ｂとには、それぞれ、駆動用のＩＣ２００ＡとＩＣ２００Ｂとがそれぞれ搭載されている。電気光学装置１は、上位回路の制御により、駆動用のＩＣ２００ＡとＩＣ２００Ｂとの両方により駆動され、高精細な表示を行うことが可能である。例えば、電気光学装置１は、フルハイビジョンの画素数を縦２倍、横２倍とし、３８４０×２１６０以上の画素数を有する。
【００４８】
図８は、電気光学装置１を適用した電子機器である情報携帯端末（ＰＤＡ：Personal Digital Assistants）の構成例を示す図である。情報携帯端末２０００は、複数の操作ボタン２００１及び電源スイッチ２００２、並びに表示ユニットとしての電気光学装置１を備える。電源スイッチ２００２を操作すると、住所録やスケジュール帳といった各種の情報が電気光学装置１に表示される。
【００４９】
図９は、上述した電気光学装置１を適用した電子機器である投射型表示装置（３板式のプロジェクタ）４０００の模式図である。投射型表示装置４０００は、相異なる表示色（赤色，緑色，青色）に対応する３個の電気光学装置１（１Ｒ，１Ｇ，１Ｂ）を含んで構成される。照明光学系４００１は、照明装置（光源）４００２からの出射光のうち赤色成分ｒを電気光学装置１Ｒに供給し、緑色成分ｇを電気光学装置１Ｇに供給し、青色成分ｂを電気光学装置１Ｂに供給する。各電気光学装置１は、照明光学系４００１から供給される各単色光を表示画像に応じて変調する光変調器（ライトバルブ）として機能する。投射光学系４００３は、各電気光学装置１からの出射光を合成して投射面４００４に投射する。上述した電気光学装置１を適用することにより、高精細表示が可能な小型の投射型表示装置４０００が容易に実現できる。
【００５０】
なお、電気光学装置１が適用される電子機器としては、図８〜図９に示すものの他、デジタルスチルカメラ、液晶テレビ、ビューファインダー型、モニター直視型のビデオテープレコーダー、カーナビゲーション装置、ページャー、電子手帳、電卓、ワープロ、ワークステーション、テレビ電話、ＰＯＳ端末、タッチパネルを備えた機器等などが挙げられる。そして、これらの各種電子機器の表示部として、前述した電気光学装置が適用可能である。
【符号の説明】
【００５１】
１…電気光学装置、１０００Ａ，１０００Ｂ，１０００Ｃ，１０００Ｄ，１０００Ｅ，１０００Ｆ，１０００…電気光学パネル、１０…素子基板、１０Ａ…第１の領域、１０Ｂ…第２の領域、２０…対向基板、１１０…画素マトリクス、１２０Ａ，１２０Ｂ…走査線駆動回路、１３０…データ線駆動回路、１４０…上下導通点、１５０Ａ−１，１５０Ａ−２，１５０Ｂ−１，１５０Ｂ−２…端子領域、１６０…アライメントマーク、２０００…情報携帯端末、４０００…投射型表示装置。
【図１】
2020016762.tif 000003
【図２】
2020016762.tif 000004
【図３】
2020016762.tif 000005
【図４】
2020016762.tif 000006
【図５】
2020016762.tif 000007
【図６】
2020016762.tif 000008
【図７】
2020016762.tif 000009
【図８】
2020016762.tif 000010
【図９】
2020016762.tif 000011
【図１０】
2020016762.tif 000012